(57)【要約】【課題】音声認識機能付き表示装置において、使用者の視聴スタイルに合わせて、音声認識範囲を変えられる技術。【解決手段】  表示部を持つ音声認識機能付き表示装置であって、指向性を持ち、指向性の方向である指向方向を所定の角度に設定し音声取得を、並行して複数回行い、それぞれの該音声取得の該角度は異なり、該音声取得によって取得した音声データの中から、該音声データの特徴量に応じて候補音声データを選定し、該候補音声データの指向方向を発話者方向とし、該有効音声データがキーワード音声か否かを判別し、該発話者方向を指向方向とした該音声取得を行い、コマンド音声を取得する音声入力部を備え、複数の該音声取得による音声取得範囲が狭い狭角度モードと、複数の該音声取得による該音声取得範囲が広い広角度モードと、を備え、該狭角度モードと該広角度モードを切り替え可能であることを構成とする。【選択図】図１
2019215393.tif 000002
【特許請求の範囲】
【請求項１】
表示部を持つ音声認識機能付き表示装置であって、
指向性を持ち、指向性の方向である指向方向を所定の角度に設定し音声取得を、並行して複数回行い、
それぞれの該音声取得の該角度は異なり、
該音声取得によって取得した音声データの中から、該音声データの特徴量に応じて候補音声データを選定し、該候補音声データの指向方向を発話者方向とし、該候補音声データがキーワード音声か否かを判別し、
該発話者方向を指向方向とした該音声取得を行い、コマンド音声を取得する音声入力部を備え、
複数の該音声取得による音声取得範囲が狭い狭角度モードと、
複数の該音声取得による該音声取得範囲が広い広角度モードと、を備え、
該狭角度モードと該広角度モードを切り替え可能であることを特徴とする表示装置。
【請求項２】
音声認識機能付き表示装置であって、
表示部の表示面に対する法線方向を正面方向とした際、指向性の方向である指向方向を正面方向に設定し音声取得を行い、該音声取得によって取得した音声データがキーワード音声か否かを判別し、
指向方向を正面方向に設定し該音声取得を行い、コマンド音声を取得する狭角度モードと、
指向性を持ち、指向性の方向である指向方向を所定の角度に設定し音声取得を、並行して複数回行い、
それぞれの該音声取得の該角度は異なり、
該音声取得によって取得した音声データの中から、該音声データの特徴量に応じて候補音声データを選定し、該候補音声データの指向方向を発話者方向とし、該候補音声データがキーワード音声か否かを判別し、
該発話者方向を指向方向とした該音声取得を行い、コマンド音声を取得する
広角度モードと、を備え、
音声取得範囲が狭い該狭角度モードと音声取得範囲が広い該広角度モードを切り替え可能であることを特徴とする表示装置。
【請求項３】
前記音声データの特徴量は、発話音量の大きさであることを特徴とする請求項１又は請求項２に記載の表示装置。
【請求項４】
前記モードの切り替えは、メニューの項目選択で行うことを特徴とする請求項１から請求項３のいずれかに記載の表示装置。
【請求項５】
前記表示部に、設定中の前記モードに応じた表示を行うことを特徴とする請求項１から請求項４のいずれかに記載の表示装置。
【請求項６】
前記広角度モードの前記音声取得範囲は、６０度以上であることを特徴とする請求項１から請求項５のいずれかに記載の表示装置。
【請求項７】
前記表示装置の状態が変化した際、
１回目の前記音声データの取得は、前記広角度モードで行い、
２回目以降の前記音声データの取得時の前記音声取得の方向を、１回目の前記音声データの取得で、決定した発話者方向とし、前記狭角度モードで行うことを特徴とする請求項１から請求項６に記載の表示装置。
【請求項８】
請求項１から請求項７のいずれかを備えるテレビジョン受信機。
【発明の詳細な説明】
【技術分野】
【０００１】
本発明は、音声認識機能付テレビに関する。より詳しくは、音声認識機能付テレビにおける音声認識の精度向上に関する。
【背景技術】
【０００２】
近年、音声認識機能を搭載した製品が多数発売されている。音声認識機能によって、リモコン等を用いず、機器を操作出来たり、必要な情報を手軽に取得出来るので便利である。テレビに音声認識機能が搭載された製品も発売されつつある。
【０００３】
テレビで音声認識機能を利用する場合、テレビの音量を上げ下げしたり、チャンネルを切り替えたりするリモコンの代わりを行ったり、明日の天気等の情報を確認する場合もある。いずれにしても、通常、使用者は、テレビに正対し、テレビの視聴に適切な位置にすると考えられる。そのため、音声認識の方向は、テレビに正対した方向のみとするのが妥当と考えられる。他の方向の雑音を抑えることで、音声の認識率を上げることが出来る。
【０００４】
しかしながら、使用者の視聴スタイルによっては、必ずしもそうとは言えない。例えば、使用者が、居間のテレビを台所から視聴している場合もある。また、他の作業をしながら、テレビをBGMとして視聴している場合もある。
そこで、使用者の視聴スタイルに合わせて、音声認識範囲を変えられる技術が求められていた。
【０００５】
このような問題に対して、従来からも様々な技術が提案されている。例えば、視聴者の位置をカメラでとらえ、音声認識の指向性の方向を変化させる技術が開示されている（特許文献１）。
【先行技術文献】
【特許文献】
【０００６】
【特許文献１】特許６２５０２９７号
【発明の概要】
【発明が解決しようとする課題】
【０００７】
しかしながら、複数の視聴者の場合には、指向性の設定が難しいし、カメラ映像が不明瞭な場合は、設定が難しかった。そのため、使用者の視聴スタイルに合わせて、音声認識範囲を変えるという課題解決となっていない。
【課題を解決するための手段】
【０００８】
本発明に係る画像表示装置は、指向性を持ち、指向性の方向である指向方向を所定の角度に設定し音声取得を、並行して複数回行い、それぞれの該音声取得の該角度は異なり、該音声取得によって取得した音声データの中から、該音声データの特徴量に応じて候補音声データを選定し、該候補音声データの指向方向を発話者方向とし、該有効音声データがキーワード音声か否かを判別し、該発話者方向を指向方向とした該音声取得を行い、コマンド音声を取得する音声入力部を備え、複数の該音声取得による音声取得範囲が狭い狭角度モードと、複数の該音声取得による該音声取得範囲が広い広角度モードと、を備え、該狭角度モードと該広角度モードを切り替え可能であることを手段とする。
【発明の効果】
【０００９】
この発明によれば使用者の視聴スタイルに合わせて、音声認識範囲を変えられるので、
音声認識率を向上させることが出来る。
【図面の簡単な説明】
【００１０】
【図１】本発明に係る表示装置のブロック図である。
【図２】本発明に係る表示装置の一実施形態を説明する図である。
【図３】本発明に係る表示装置の一実施形態を説明するフローチャートである。
【図４】本発明に係る表示装置のメニュー表示を示す図である。
【図５】本発明に係る表示装置の画面表示を説明する図である。
【図６】本発明に係る表示装置の他の実施形態を説明する図である。
【図７】本発明に係る表示装置の他の実施形態を説明するフローチャートである。
【発明を実施するための形態】
【００１１】
本発明である画像表示装置は、使用者の視聴スタイルに合わせて、音声認識範囲を変えられることを最大の特徴とする。以下、実施例を図面に基づいて説明する。
なお、本実施例で示される画像表示装置の全体形状及び各部の形状は、下記に述べる実施例に限定されるものではなく、本発明の技術的思想の範囲内、即ち、同一の作用効果を発揮できる形状及び寸法の範囲内で変更することができるものである。
（実施例１）
【００１２】
図１から図４に沿って、本発明の構成を説明する。
図１は、本発明に係る表示装置のブロック図である。図２（ａ）は、本発明に係る表示装置の一実施形態での、狭角度モードを説明する図である。図２（ｂ）は、同じく、広角度モードを説明する図である。図３は、本発明に係る表示装置の一実施形態を説明するフローチャートである。図４（ａ）は、本発明に係る表示装置のメニュー表示を示す図である。
【００１３】
（ブロック図の説明）
表示装置１は、音声認識機能付テレビジョン受信機であり、一般的なテレビ受信機に音声認識機能が搭載されたものである。
表示装置１は、主に、音声入力機能と制御機能と映像表示機能と音声出力機能からなる。
【００１４】
音声入力機能は、マイクアレイ１００と音声入力処理部２００から構成されている。マイクアレイ１００は、複数の無指向性マイクから構成される。本例では、マイクを４つとする。マイクは、直線状に配置される。各マイクに入った音は、後段で、マイク毎に遅延がかけられ、加算され、指向性を備えた音声情報として使用される。遅延量を変えることで指向方向を変えることが出来る。この方式は、ビームフォーミングとも呼ばれている。この動作が並行して行われ、複数の音声情報が生成される。
言い換えれば、指向性を持ち指向方向を設定可能な音声取得を、並行して複数行うことになる。
複数の音声取得の方向を異ならせることによって、１つの音声取得動作ではカバーできない広い範囲の音声を取得することができる。
また、１つの音声取得について、テレビの表示部の表示面に対する法線方向、つまり、テレビの正面方向に、指向性を持たせることで、テレビの正面に重点を置いた音声取得が出来る。
音声入力処理部２００は、マイクアレイ１００によって入力された音声についての処理を行う部分であり、音声のノイズ除去、キーワードの認識、コマンド音声の確定等を行う。音声入力処理部２００は、主に、前処理部２１０と音声認識部２２０と音声認識パラメータ部 ２３０から成る。
【００１５】
前処理部２１０は、マイクから入力された音声の認識率を上げるために、ノイズ、エコー成分等を除去する部分である。例えば、エコーキャンセル、ノイズリダクションを行う。エコーキャンセルでは、音声処理部６００からの音声情報を使用し、テレビから発せられる音成分を除去する。この処理により、テレビ音声による認識不良、誤認識を除去出来る。ノイズリダクションでは、低音、高音のノイズの除去、定常的なノイズの除去を行う。
【００１６】
音声認識部２２０は、キーワード検出とコマンド検出の２つの動作を行う。
キーワード検出時は、前処理部２１０で生成された複数の音声データを元に、複数の角度毎の音声データを生成する。音声データの特徴量に応じて、有効音声データを特定する。有効音声データを取得した際の指向方向を発話者方向とする。そして、有効音声データがキーワード音声であるかを判別する。音声データの特徴量としては、発話音量の大きさが考えられる。発話者の方向と指向方向が合うと音量が大きくなるからである。
発話がキーワード音声であれば、制御部３００に対して、キーワードが受信されたことを伝える。
コマンド検出時は、設定された角度の音声を受信し、音声データをコマンド音声データとして、制御部３００に送信する。
音声認識パラメータ部２３０は、キーワード検出時の音声受信角度を設定するパラメータ群である。この値を変えることで、音声取得の範囲を変えたり、音声取得の方向を変えたりすることが出来る。制御部３００からの指示で、音声認識パラメータ部２３０の中から適切なパラメータが音声認識部２２０に送られる。
【００１７】
制御機能は、表示装置１全体を制御する部分である。主に、制御部３００と通信部３１０とＲＣ受光部３２０からなる。
制御部３００は、テレビの映像音声の制御、音声認識関連の制御、外部との通信とを行う部分である。マイコンと、メモリであるＲＯＭ、ＲＡＭを備える。
音声入力処理部２００に対して、音声認識パラメータ部２３０を介して、音声認識角度パラメータを送り、角度を変更する。
音声入力処理部２００で取得したコマンド音声を通信部３１０、インターネット７００を介して、音声解析部８００に送ったり、音声解析部８００からの解析結果を通信部３１０を介して、テキスト情報として受信したりする。音声解析部８００の結果のテキストを画像処理部４３０を介して表示したり、音声解析部８００の結果のテキストを、音声に変換して、音声処理部６００に音声データとして送信したりする。
【００１８】
通信部３１０は、外部とネットワーク通信を行う部分である。インターネットと接続し、ネット上の音声解析部８００とやりとりすることが出来る。有線でもいいし、無線でもよい。
ＲＣ受光部３２０は、テレビのリモコンの受信部であり、赤外線リモコンからのデータを受信し、制御部３００に送信する。
【００１９】
映像表示機能は、テレビの映像関連であり、放送波の受信や、制御部３００からのテキストデータの映像への重畳を行う。主に、チューナ４００、アンテナ４１０、復号化部４２０、画像処理部４３０、表示部５００からなる。
チューナ４００は、一般的な放送受信のためのチューナであり、アンテナ４１０からの放送波を受信し、番組を選局する。復号化部４２０は、受信データのTS化を行い、映像、音声、メタ情報等を分離する部分であり、映像は画像処理部４３０に、音声は音声処理部６００に送られる。
制御部３００は映像／音声ソースのタイミングを映像処理部４３０、音声処理部６００に送信する。また、ユーザー操作の効果や字幕等の情報を適切な位置に表示したサブ画面を作成し、映像処理部に出力する。サブ画面とは、映像に重畳するためのレイアである。ま
た、情報のための音声入力があった際に音声認識モードとなったことを示すマークや、音声認識結果のテキスト、音声認識の認識範囲モードの表示等も行う。
画像処理部４３０は、映像の輝度、彩度、色相等の調整、映像の高精細化やスケーリング等を行う。また、サブ画面等を映像に重畳する処理を行う。
【００２０】
音声出力機能は、テレビの音声出力に関連する部分である。主に、音声処理部６００とスピーカ６１０から成る。音声処理部６００は、音声データからＤＡコンバータ等で音声波形を生成し、アンプを介して、スピーカ６１０に音声を出力する。
また、音声データを前処理部２１０に送り、エコーキャンセルさせる。前処理部２１０に送る音声データには、スピーカ６１０から発せられる音量に応じたデータ、又は音量レベルを付加する。
【００２１】
（狭角度モードの動作例）
次に、狭角度モードと広角度モードの動作を図２、図３に沿って、説明する。
図２（ａ）、図２（ｂ）は、狭角度モードの動作例である。図２（ｃ）、図２（ｄ）は、広角度モードの動作例である。図３は、いずれの場合も含むフローチャートである。
動作例として、音声検出方向は５つあり、各方向は、音声検出角度が６０度の扇型の範囲を持つ。音声取得可能範囲は、図２（ａ）のように、Ｂ１、Ｂ２、Ｂ３、Ｂ４、Ｂ５とする。中央に当たるＢ３の方向を音声取得領域中央方向Ｃとする。本例では、音声取得領域中央方向Ｃの方向は、テレビの表示面に対向する方向とする。
各音声取得可能範囲の刻み角度は、狭角度モードは１０度、広角度モードは３０度とする。
【００２２】
まず、狭角度モードの動作を図２（ａ）、図２（ｂ）に沿って説明する。表示装置１は、上から見た形状であり、紙面上、左が映像表示側、右がテレビの背面側とする。マイクアレイ１００はテレビの映像表示位置の中央に配置されている。また、特別に指定のない限り、右側、左側とは、テレビを正面から見ているユーザーを基準に右側（紙面上のB5の方向）、左側（紙面上のB1方向）とする。
テレビ起動後、音声認識パラメータを設定する（Ｓ１０１）。サーチ方向数は５個、サーチ方向は正面、サーチ刻み角は１０度と設定する。
キーワードは、「ＯＫベーグル」とする。
【００２３】
使用者Ｈが「ＯＫベーグル」と発話する（図２（ａ））。マイクアレイ１００、音声入力処理部２００は５つの方向毎に並行して音声を取得する（Ｓ１０２）。
使用者Ｈは、音声取得領域中央方向Ｃよりも若干左側にずれた位置に居る。最も音量の大きな方向は音声取得可能範囲Ｂ２の方向であるので、発話者方向をＢ２とし、この方向から取得された音声データを候補音声データとする。
Ｂ２を使用者Ｈの方向として記憶する（Ｓ１０３）。
【００２４】
発話内容は、キーワード音声かを確認する。キーワードの確認出来た場合は、コマンド音声取得状態に入る、キーワード音声で無ければ、音声取得動作（Ｓ１０２）に戻る。
【００２５】
コマンド音声取得状態として、まず、音声取得方向をＳ１０３で記憶した方向であるＢ２に設定する（図２（ｂ））。音声取得方向の刻み角度が小さいため、微調整が可能である。使用者Ｈの位置を音声取得範囲のほぼ中央に調整することが出来る。
【００２６】
コマンド音声取得待ちに入る（Ｓ１０５）。使用者Ｈが「音量下げて」と発話すると、その音声を取得する（Ｓ１０６、Ｓ１０７）。取得した音声データは、制御部３００、通信部３１０を介して、音声解析部８００に送られる（Ｓ１０８）。音声解析部８００では、データベース、大型コンピュータ等を用いて、音声データを解析し、音声をテキスト化
する。この例では、“オンリョウサゲテ”となる。音声がテレビの操作を指示する内容であるので、テレビ操作のコマンドである“ＶＯＬ  ＤＷＮ”を生成する。また、音声が問い合わせの内容であれば、それに対する回答をテキストデータとして生成する。
音声解析部８００は、コマンド音声をテキスト化したデータである“オンリョウサゲテ”と、回答となるデータである“ＶＯＬ  ＤＷＮ”を表示装置１に送信する（Ｓ１０９）。
【００２７】
制御部３００は、コマンド音声のテキストを表示したサブ画面の映像を画像処理部４３０に送り、画像処理部４３０は、主映像にサブ画面の映像を重畳する。回答となるデータが、テレビ操作のデータであれば、テレビの操作を行う。回答となるデータがテキストデータであれば、回答のサブ画面の映像を作成し、画像処理部４３０に送り、主映像にサブ画面の映像を重畳する。併せて制御部３００は、テキストから音声データを生成し、音声処理部６００に音声データを送信する。音声処理部６００はスピーカ６１０を用いて、テキストの内容を音声出力する（Ｓ１１０）。
【００２８】
一連の動作によって、テレビの正面付近にいる使用者Ｈの方向を特定し、音声取得角度を調整し、使用者Ｈの発話の認識率を上げることが出来る。そのため、狭角度モードは、使用者が、テレビの正面付近にいる生活スタイルの使用者に最適である。
【００２９】
本実施例の狭角度モードの説明では、キーワード音声を取得する際、複数の音声取得を行う例としたが、テレビの表示部の表示面に対する法線方向を指向方向とする音声取得のみとし、コマンド音声の取得も同じ正面方向としてもよい。使用者がテレビの正面にいる場合は、問題無く、キーワード音声や、コマンド音声を取得出来る。
【００３０】
また、キーワード音声を取得する際、広角度モードと同様に、広範囲の音声を取得し、コマンド音声を取得する際、正面のみの音声を取得してもよい。このようにすることで、キーワード音声を取得しやすくなる。
【００３１】
（広角度モードの動作例）
次に、広角度モードでの動作を、図２（ｃ）、図２（ｄ）に沿って説明する。
テレビ起動後、音声認識パラメータを設定する（Ｓ１０１）。サーチ方向数は５個、サーチ方向は正面、サーチ刻み角は３０度と設定する。５つの音声取得方向で、テレビの表示面方向の１８０度をほぼカバーする。使用者Ｈの位置は、テレビの正面よりも大きく左よりの位置とする。
【００３２】
使用者Ｈが「ＯＫベーグル」と発話する（図２（ｃ））。マイクアレイ１００、音声入力処理部２００は５つの方向毎に並行して音声を取得する（Ｓ１０２）。
使用者Ｈは、音声取得領域中央方向Ｃよりも大きく左側にずれた位置に居る。最も音量の大きな方向は音声取得可能範囲Ｂ２の方向であるので、発話者方向をＢ２とし、この方向から取得された音声データを候補音声データとする。Ｂ２を使用者Ｈの方向として記憶する（Ｓ１０３）。
【００３３】
発話内容は、キーワード音声かを確認する。キーワードの確認出来た場合は、コマンド音声取得状態に入る、キーワード音声で無ければ、音声取得動作（Ｓ１０２）に戻る。
【００３４】
コマンド音声取得状態として、まず、音声取得方向をＳ１０３で記憶した方向であるＢ２に設定する（図２（ｄ））。音声取得方向の刻み角度が大きいため、使用者Ｈの位置が大きくずれていても、カバーが可能である。しかし、使用者Ｈの位置をサーチ範囲の中央からずれた位置に来る場合もある。その場合は、音声の認識率が低くなる。
【００３５】
コマンド音声取得待ちに入る（Ｓ１０５）。使用者Ｈが「音量下げて」と発話すると、その音声を取得する（Ｓ１０６、Ｓ１０７）。取得した音声データは、制御部３００、通信部３１０を介して、音声解析部８００に送られる（Ｓ１０８）。音声解析部８００では、データベース、大型コンピュータ等を用いて、音声データを解析し、音声をテキスト化する。この例では、“オンリョウサゲテ”となる。音声がテレビの操作を指示する内容であるので、テレビ操作のコマンドである“ＶＯＬ  ＤＷＮ”を生成する。また、音声が問い合わせの内容であれば、それに対する回答をテキストデータとして生成する。
音声解析部８００は、コマンド音声をテキスト化したデータである“オンリョウサゲテ”と、回答となるデータである“ＶＯＬ  ＤＷＮ”を表示装置１に送信する（Ｓ１０９）。
【００３６】
制御部３００は、コマンド音声のテキストを表示したサブ画面の映像を、画像処理部４３０に送り、画像処理部４３０は、主映像にサブ画面の映像を重畳する。サブ画面とは、主映像に、他の画像データ等を重畳する内容を描画するグラフィックプレーンである。回答となるデータが、テレビ操作のデータであれば、テレビの操作を行う。回答となるデータがテキストデータであれば、回答のサブ画面の映像を作成し、画像処理部４３０に送り、主映像にサブ画面の映像を重畳する。併せて制御部３００は、テキストから音声データを生成し、音声処理部６００に音声データを送信する。音声処理部６００はスピーカ６１０を用いて、テキストの内容を音声出力する（Ｓ１１０）。
【００３７】
一連の動作によって、テレビの正面から大きくずれた位置にいる使用者Ｈの方向を特定し、音声取得角度を調整し、使用者Ｈの発話を認識することが出来る。そのため、広角度モードは、使用者が、テレビの正面付近にいない場合が多い生活スタイルの使用者に最適である。
【００３８】
（メニュー表示）
上述のように、表示装置１の音声認識モードとして、少なくとも狭角度モードと広角度モードを持つ必要がある。そこで、使用者が、容易に２つのモードを切り替えられるメニューを用いる（図４（ａ））。表示装置１の表示部５００にメニュー画面５１０を表示する。狭角度モード選択ボタン５２０と広角度モード選択ボタン５３０とを持つ。２つのボタンは、例えば、リモコンの上下キー、決定ボタンで、選択、決定する。図２（ａ）は、広角度モードが選択された画面である。広角度モードが選択されると、制御部３００は、音声認識パラメータ部２３０のパラメータから広角度モードのパラメータを選択し、音声認識部２２０のパラメータをセットする。
【００３９】
（音声認識角度等表示）
図５に沿って、音声認識角度表示について説明する。音声認識のモードが複数あると、使用者は、現在、どちらのモードか確認することが必要な場合がある。図５（ａ）は、広角度モードを設定した場合である。表示部５００にコンテンツ映像５５０が表示され、画面の下部分に音声認識角度表示領域５６０を割り当てる。広角度モードを表すように、音声認識有効角度５７０は、細長い棒状の表示としている。使用者は、細長い棒状の表示を見て、広い角度を認識するモードと分かる。
【００４０】
図５（ｂ）は、狭角度モードを設定した場合である。表示部５００にコンテンツ映像５５０が表示され、画面の下部分に音声認識角度表示領域５６０を割り当てる。狭角度モードを表すように、音声認識有効角度５７０は、小さい棒状の表示としている。使用者は、小さい棒状の表示を見て、狭い角度を認識するモードと分かる。
【００４１】
図５（ｃ）は、さらに、付加的な情報を示す図である。音声取得表示５８０は、キーワード音声、コマンド音声を取得していることを示す表示である。音声認識角度表示領域５
６０の中央上部分に表示が出ることで、使用者は、音声が取得できていることを確認出来る。また、音声入力、回答のテキストである音声テキスト５９０を画面に出すことで、使用者は、発話した内容や、回答の内容を確実に把握することが出来る。
【００４２】
このように、本発明によれば、音声認識機能を持つテレビにおいて、複数の音声認識範囲を持つ音声認識機能によって、使用者の視聴スタイルに合わせて、音声認識範囲を変えることが出来、使用者の利便性を向上させることが出来る。
【００４３】
また、本実施例による構成を言い換えれば、表示部を持つ音声認識機能付き表示装置であって、指向性を持ち、指向性の方向である指向方向を所定の角度に設定し音声取得を、並行して複数回行う。所定の角度は、例えば、向を各音声取得毎に一定の刻み角度をいう。音声データの特徴量に応じて候補音声データを選定し、該候補音声データの指向方向を発話者方向とし、該候補音声データがキーワード音声か否かを判別する。
候補音声データを取得した際の角度である発話者方向を指向方向とした該音声取得を行い、コマンド音声を取得する音声入力部を備える。
複数の該音声取得による音声取得範囲が狭い（水平方向の取得角度が狭い）狭角度モードと、複数の該音声取得による該音声取得範囲が広い（水平方向の取得角度が狭い）広角度モードと、を備え、該狭角度モードと該広角度モードを切り替え可能である。
【００４４】
また、音声認識機能付き表示装置であって、表示部の表示面に対する法線方向を正面方向とした際、指向性の方向である指向方向を正面方向に設定し音声取得を行い、該音声取得によって取得した音声データがキーワード音声か否かを判別する。音声取得は、１方向のみについて行う。
指向方向を正面方向に設定し該音声取得を行い、コマンド音声を取得する。
このモードを狭角度モードとする。
指向性を持ち、指向性の方向である指向方向を所定の角度に設定し音声取得を、並行して複数回行い、それぞれの該音声取得の該角度は異なり、該音声取得によって取得した音声データの中から、該音声データの特徴量に応じて候補音声データを選定し、該候補音声データの指向方向を発話者方向とし、該有効音声データがキーワード音声か否かを判別する。
該発話者方向を指向方向とした該音声取得を行い、コマンド音声を取得する。このモードを広角度モードとする。
複数の該音声取得による音声取得範囲が狭い（水平方向の取得角度が狭い）狭角度モードと、複数の該音声取得による該音声取得範囲が広い（水平方向の取得角度が狭い）広角度モードと、を備え、該狭角度モードと該広角度モードを切り替え可能である。
【００４５】
（実施例２）
実施例１において、複数の音声認識範囲をメニューで切り替える例を説明した。しかし、２つのモードを変える毎に、メニューを表示させ、設定することは、場合によっては、面倒である。
そこで、メニューでの設定変更を行うことなく、モードを変える技術が求められていた。
【００４６】
図４（ｂ）、図６、図７に沿って、説明する。図４（ｂ）は、本実施例のメニュー表示例である。図６（ａ）、（ｂ）は、電源投入１回目の音声認識動作である。図６（ｃ）、（ｄ）は、２回目以降の音声認識動作である。図７は、電源投入１回目、２回目の音声認識のフローチャートである。
本実施例のモードをオートモードとして説明する。
【００４７】
図４（ｂ）に示すメニューを表示し、オートモード選択ボタン５４０を選択実行し、オ
ートモードとしておく。
テレビの電源を入れた後、音声認識パラメータを広角度モードに設定する（Ｓ２０１）。図６（ａ）に示すように、広範囲の音声を拾うモードとなる。
使用者Ｈが“ＯＫベーグル”と発話し、音声データを取得する（Ｓ２０２）。５つの方向の音声データを比較し、最も音量の大きな方向を特定し、変数ＳＣＮ１に記憶する。図６（ａ）の例では、Ｂ２を変数ＳＣＮ１に記憶する（Ｓ２０３）。
音声がキーワードで無ければＳ２０２に戻る。キーワードであれば、Ｓ２０５に移る（Ｓ２０４）。音声取得方向を変数ＳＣＮ１に記憶されたＢ２に設定する（Ｓ２０５）。コマンド音声を待ち、音声を取得する（Ｓ２０６）。
音声解析部８００にデータを送信し、解析結果を受け、制御部３００で表示部５００等に結果を表示する（Ｓ２０７）。
【００４８】
２回目の音声認識に備え、パラメータをセットする。狭角度モードに設定し、中央方向は、ＳＣＮ１に記憶されたＢ２の方向とする（Ｓ２０８）。
音声取得領域中央方向Ｃの方向は、テレビの正面ではなく、ほぼ使用者Ｈの方向となる。
使用者Ｈが“ＯＫベーグル”と発話し、音声データを取得する（Ｓ２０９）。５つの方向の音声データを比較し、最も音量の大きな方向を特定し、変数ＳＣＮ２に記憶する。図６（ｃ）の例では、Ｂ２を変数ＳＣＮ２に記憶する（Ｓ２１０）。
音声がキーワードで無ければＳ２１２に戻る。キーワードであれば、Ｓ２１５に移る（Ｓ２１１）。音声取得方向を変数ＳＣＮ２に記憶されたＢ２に設定する（Ｓ２１２）。コマンド音声を待ち、音声を取得する（Ｓ２１３）。
音声解析部８００にデータを送信し、解析結果を受け、制御部３００で表示部５００等に結果を表示する（Ｓ２１４）。
【００４９】
この動作によって、使用者が正面方向に居なくても、音声認識範囲を使用者の方向に正確に合わせることが出来る。使用者は、メニューによる設定を行いことなく、音声認識率を向上させることが出来る。
また、使用者がテレビの正面から大きく離れた場合であっても、使用者の方向を精度よく捉えられるので、音声認識の認識率を向上させることができる。
【符号の説明】
【００５０】
１    表示装置
１００  マイクアレイ
２００  音声入力処理部
２１０  前処理部
２２０  音声認識部
２３０  音声認識パラメータ部
３００  制御部
３１０  通信部
３２０  ＲＣ受光部
４００  チューナ
４１０  アンテナ
４２０  復号化部
４３０  画像処理部
５００  表示部
５１０  メニュー画面
５２０  狭角度モード選択ボタン
５３０  広角度モード選択ボタン
５４０  オートモード選択ボタン
５５０  コンテンツ映像
５６０  音声認識角度表示領域
５７０  音声認識有効角度
５８０  音声取得表示
５９０  音声テキスト
６００  音声処理部
６１０  スピーカ
７００  インターネット
８００  音声解析部
Ｈ  使用者
Ｂ１、・・・、Ｂ５  音声取得可能範囲
Ｃ  音声取得領域中央方向
【図１】
2019215393.tif 000003
【図２】
2019215393.tif 000004
【図３】
2019215393.tif 000005
【図４】
2019215393.tif 000006
【図５】
2019215393.tif 000007
【図６】
2019215393.tif 000008
【図７】
2019215393.tif 000009